(57)【要約】      （修正有）【課題】高所のナット取り外し作業において、既存のあらゆるタイプのナット外し工具に適用でき、取り外したナットを落とさないように多数保持可能なナット受け具を提供する。【解決手段】ナット受け具１００は、筒体又は袋体１０１の上端が開口１０２を有しており、工具挿入孔１０３Ａが底面にある。中心から径方向に放射状に切れ目がある形状であるが、一方向で両側に短冊状に切れているものも可能である。第一係止具１０３Ｂが側壁面にある。側壁面に工具挿入孔１０３Ａを備え、第一係止具１０３Ｂが側壁面にある。工具挿入孔１０３Ａが底面と側壁面の両方に付いている。側壁面にナットが収まる凹み１０４が設けられている。【選択図】図１
0003187587.tif 000002
【実用新案登録請求の範囲】
【請求項１】
本考案のナット受け具は、一端が開いた開口部を有する筒体又は袋体で、他端の面又は側壁面にナットを外す工具を挿入する工具挿入孔を有することを特徴とするナット受け具。
【請求項２】
前記工具挿入孔は、孔の中心から径方向に、又は、線分状の孔の両側に、工具が入る長さで多数の切れ目が入っていることで、多数の円弧、又は多数の短冊に分かれていて工具を外から挿入すると、各円弧又は各短冊が工具により内側に押し込まれるようになっていることで、ナットが外側にこぼれでないことを特徴とする請求項１記載のナット受け具。
【請求項３】
前記他端の面又は前記側壁面にナットを捕獲する手段を備えたことを特徴とする請求項１又は、請求項２記載のナット受け具。
【請求項４】
前記ナットを捕獲する手段は、外側へはみ出したナットが嵌る凹み、又は、ナットが吸着される磁石体を備えたことを特徴とする請求項１から請求項３のいずれか１つに記載のナット受け具。
【請求項５】
前記他端の面又は前記側壁面に前記工具に取り付け係止するための第一係止具を備えたことを特徴とする請求項１から請求項４のいずれか１つに記載のナット受け具。
【請求項６】
前記第一係止具は、前記工具に固定取り付けられる第二係止具にこれを係止する相手として係止されることを特徴とする請求項５記載のナット受け具。
【考案の詳細な説明】
【技術分野】
【０００１】
本考案は、ナットの取り外し時に工具からナットがこぼれてもナットを地面に落とさず受け止めることが可能な、工具に取り付けるナット受け具に関するものである。
【背景技術】
【０００２】
従来、高所の作業現場で取り付けられたナットを外す際には、図３の３−Ａ、３−Ｂのようにナットの下側に袋を吊り下げて、着脱作業中にナットを落としても袋の中に入るようにしていた。これは下方の安全確保のための措置であるが、この方法は別のナットを外そうとする度に袋の付け替え作業が発生し、非常に面倒であった。また、場所によっては袋を取り付けること自体が困難な場合もある。
【０００３】
前記の問題を解決するため、様々な発明がなされてきた。特許文献１の発明は作業服や安全ベルトに取り付けるナスカンから伸びたコイルワイヤーの先のリングに、弾性を有する筒体が２つ吊り下げられており、これらの筒体にボルトとナットを被せて嵌め込むものである。特許文献２の発明ではラチェットレンチ用のソケット、そして特許文献３の発明ではインパクトレンチ用のソケットが挙げられている。
【０００４】
上記の発明はナットを取り外す際に筒体やソケットをナットにあてがって回転させ、ナットを保持して落ちなくすることに重点を置いている。ただし、ソケットでナットを保持することはできるものの、保持できる数量はわずか少数である点は共通している。
また、特許文献１の発明はナット取り外しの際に途中まで工具を使って緩めた上で筒体をナットに取り付けるため、一旦工具と筒体を持ち替える必要がある点で若干の不便さがある。そして特許文献２と特許文献３の発明においては、それぞれ対象がラチェットレンチとインパクトレンチに限定されている点で、汎用性の高いものではない。
【先行技術文献】
【特許文献】
【０００５】
【特許文献１】特許４７５７２４３号
【特許文献２】特開２０１１−１５６６１５
【特許文献３】特開２０１１−１６７７９１
【考案の概要】
【考案が解決しようとする課題】
【０００６】
本考案の課題は、高所のナット取り外し作業において、既存のあらゆるタイプのナット外し工具に適用でき、取り外したナットを多数保持可能なナット受け具を提供することである。
【課題を解決するための手段】
【０００７】
本考案のナット受け具は、一端が開いた開口部を有する筒体又は袋体で、他端の面又は側壁面にナットを外す工具を挿入する工具挿入孔を有する。
【０００８】
請求項１記載の考案は、ナット受け具であって、
本考案のナット受け具は、一端が開いた開口部を有する筒体又は袋体で、他端の面又は側壁面にナットを外す工具を挿入する工具挿入孔を有することを特徴とする。
【０００９】
請求項２記載の考案は、請求項１記載のナット受け具において、
前記工具挿入孔は、孔の中心から径方向に、又は、線分状の孔の両側に、工具が入る長さで多数の切れ目が入っていることで、多数の円弧、又は多数の短冊に分かれていて工具を外から挿入すると、各円弧又は各短冊が工具により内側に押し込まれるようになっていることで、ナットが外側にこぼれでないことを特徴とする。
【００１０】
請求項３記載の考案は、請求項１又は、請求項２記載のナット受け具において、
前記他端の面又は前記側壁面にナットを捕獲する手段を備えたことを特徴とする。
【００１１】
請求項４記載の考案は、請求項１から請求項３のいずれか１つに記載のナット受け具において、
前記ナットを捕獲する手段は、外側へはみ出したナットが嵌る凹み、又は、ナットが吸着される磁石体を備えたことを特徴とする。
【００１２】
請求項５記載の考案は、請求項１から請求項４のいずれか１つに記載のナット受け具において、
前記他端の面又は前記側壁面に前記工具に取り付け係止するための第一係止具を備えたことを特徴とする。
【００１３】
請求項６記載の考案は、請求項５記載のナット受け具において、
前記第一係止具は、前記工具に固定取り付けられる第二係止具にこれを係止する相手として係止されることを特徴とする。
【考案の効果】
【００１４】
以上のように構成されているため、本考案によるナット受け具は、既存のあらゆるタイプのナット外し工具に適用でき、また外したナットを多数保持することが可能であるため、連続してナット外し作業ができる。また、本考案のナット受け具は、取り付けたソケットでナットを保持するタイプの工具とも併用できる。
【図面の簡単な説明】
【００１５】
【図１】本考案によるナット受け具の一実施態様を示す図である。
【図２】本考案によるナット受け具の工具への取付例を示す図である。
【図３】従来の高所ナット外し作業の様子を示す図である。
【考案を実施するための形態】
【００１６】
本考案のナット受け具は、一端が開いた開口部を有する筒体又は袋体で、他端の面又は側壁面にナットを外す工具を挿入する工具挿入孔を有する。
更に、工具挿入孔は、孔の中心から径方向に、又は、線分状の孔の両側に、工具が入る長さで多数の切れ目が入っていて、多数の円弧、又は多数の短冊に分かれていて工具を外から挿入すると、各円弧又は各短冊が工具により内側に押し込まれるようになっている。このため、外したナットが外に工具挿入孔を通り漏れでてこないようになっている。
更に、筒体又は袋体の側面には、横にして使ったときに外れたナットが嵌る凹みがあると好都合である。この凹みにナットが嵌り、開口部から外にはみ出てくる恐れを少なく出来る。又、更に、筒体又は袋体の側面又は、他端の面（底面）には、磁性体を備えるとよい。
ナットが磁気吸着して開口部から外にはみ出てくる恐れを少なく出来る。
これにより、複数のナットをナット受け具の内部で保持したまま次のナットを外す作業ができる。
又、筒体又は袋体の側面には、使用時に工具に係止する紐、ベルクロなどの第一係止具を備え、これを取り付ける
第二係止具を工具に取り付けると好都合である。
【００１７】
ドライバーやインパクトレンチ等、ナット取付面に対して垂直にして使用する工具は、ナット受け具の底から差し込むのに適しており、ラチェットレンチ等、ナット取付面に対して平行にして使用する工具は、ナット受け具の側面から差し込むのに適しているため、本考案のナット受け具は、既存のあらゆるタイプの工具に対応可能である。そのため、取り付けたソケットでナットを保持するタイプの工具とも併用可能である。
また、ナット受け具の開口部の縁近辺だけでも磁性体になっていると、好都合である。
ナットが磁性体部に磁気吸着して外にこぼれないで済む。また、金属等のナット取付面にナット受け具を密着して、一層ナットが落下する隙間を塞ぐからである。
以下、図に沿って説明する。
【００１８】
図１は、本考案によるナット受け具の一実施態様を示す図である。ナット受け具の形状と、工具挿入孔、第一係止具等により、５つの例を挙げている。１−Ａにおけるナット受け具１００は、筒体又は袋体１０１の上端が開口１０２を有しており、
工具挿入孔１０３Ａが底面にある。この例では、中心から径方向に放射状に切れ目がある形状であるが、一方向で両側に短冊状に切れているものも可能であることは前述した。
第一係止具１０３Ｂが側壁面にある。この図の例では、紐が備えてある。
１−Ｂは側壁面に工具挿入孔１０３Ａを備え、第一係止具１０３Ｂが側壁面にある。
１−Ｃは１−Ａと1−Ｂを組み合わせたもので、工具挿入孔１０３Ａが底面と側壁面の両方に付いている。１−Ｄは１−Ｃと比較して、側壁面にナットが収まる凹み１０４が設けられている。凹み１０４は、１−Ａ、１−Ｂにおいても同様に備えることが出来る。
１−Ｅは１−Ｄとの違いは、底面の工具挿入孔１０３Ａが内側に向かってドーム状に凹んだ形になっていること、及び、更に、側壁の下側端に凹み１０５が備えてあることである。
磁性体を備えることが望ましい部分としては、開口部１０２の縁、底面と側面の工具差込口、ナット保持溝（Ａ）１０４とナット保持溝（Ｂ）１０５である。開口部１０２の縁においては天井の材質次第で、より密着してナットが落ちる隙間がなくなり、工具差込口においては工具との接続が安定し、２つのナット保持溝においては、ナット受け具１００を横や斜めに傾いた場合でも、中に入ったナットをこぼさず保持することができる。
これらの特徴は、各々、１−Ａから１−Ｄのいずれにも適用することが出来る。
【００１９】
図２は、本考案によるナット受け具の工具への使用例を示す図である。２−Ａでは天井等のナット取付面２０１から下向きに取り付けられたナット２０２に対して１−Ｄのナット受け具１００をあてがい、ナット受け具１００の底部の工具挿入孔１０３Ａから工具２０３を差し込んでいる。尚、工具に２−Ｆに示すような停止具２１０を２−Ｅのように固定しておけば、工具が挿入されたナット受け具１００がこれにより落ちないように止まるので都合がよい。
２−Ｂでは同じく下向きのナットに対して１−Ｄのナット受け具１００の側壁面の工具挿入孔１０３Ａから工具を差し込んでいる。また、外側面に備え付けられた第一係止具１０３Ｂ、ここでは紐を工具２０３に結びつけることにより、工具へのナット受け具１００の
係止状態を確保している。
２−Ｃでは、横向きに取り付けられたナット２０２に対して、１−Ｅのナット受け具１００の底面の工具挿入孔１０３Ａから工具２０３を差し込んでいる。ナット受け具１００の中に入ったナット２０２は、第一の凹み１０４と第二の凹み１０５により、ナット受け具１００が横や斜めに傾いた場合でも落下が防止可能である。２−Ｄは、１−Ｄの形状のナット受け具１００に対して、工具２０３を、ナット受け具１００の中を通さずに第一係止具１０３Ｂ、ここでは紐を工具２０３に結びつけることにより、工具へのナット受け具１００の係止状態を確保している。
尚、２−Ｂ、２−Ｄにおいて、２−Ｈに示す第二係止具を２−Ｇのように工具に固定取り付けしておけば、第一の係止具１０３Ｂの紐（ゴムひもが便利）、コイルバネ、ベルクロなどを第二係止具２２０に引っ掛けて係止することが出来る。
ただこの外部接続の方法は、工具との接続の安定性の面、ナット受け具１００とナット取付面２０１の間に隙間ができてしまうという面から、使用は可能だがナット受け具の中に工具を通す方が確実である。
【産業上の利用可能性】
【００２０】
以上のように本考案によるナット受け具は、既存のあらゆるタイプのナット外し工具に適用でき、また取り外したナットを多数保持することが可能であるため、連続してナット外し作業ができる。また、本考案のナット受け具は、取り付けたソケットでナットを保持するタイプの工具とも併用できるため、産業上の利便性が極めて大きい。
【符号の説明】
【００２１】
１００  ナット受け具
１０１  筒体又は袋体
１０２  開口
１０３Ａ  工具挿入孔
１０３Ｂ  第一係止具
１０４、１０５  凹み
２０１ 
ナット取付面
２０２  ナット
２０３  工具
２１０  停止具
２２０  第二係止具
【図１】
0003187587.tif 000003
【図３】
0003187587.tif 000004
【図２】
0003187587.tif 000005